(57)【要約】      （修正有）【課題】単一チップにより、スタティック駆動モード、および、マルチプレックスドライバモードによるディスプレイセグメントの駆動を実現する液晶ドライバを提供する。【解決手段】液晶ドライバは、コモンドライバ３１、および、制御回路３３を有する。コモンドライバは、複数のスキャン信号を生成し、且つ、各スキャン信号は、少なくとも二つのレベルを有する。制御回路は制御信号を生成する。コモンドライバは、制御信号を受信し、且つ、制御信号に基づいて、スタティック駆動モード、あるいは、マルチプレックスドライバモードによって、複数のスキャン信号の一つを生成する。【選択図】図３
0003228180.tif 000002
【実用新案登録請求の範囲】
【請求項１】
液晶ドライバであって、
複数のスキャン信号を生成し、且つ、前記複数のスキャン信号のそれぞれが、少なくとも二つのレベルを有するコモンドライバと、および、
制御信号を生成する制御回路と、を有し、
前記コモンドライバは、前記制御信号を受信し、且つ、前記制御信号に基づいて、スタティック駆動モード、あるいは、マルチプレックスドライバモードによって、前記スキャン信号の一つを生成することを特徴とする液晶ドライバ。
【請求項２】
前記コモンドライバは、前記制御信号に基づいて、前記スタティック駆動モードにおいては、前記複数のスキャン信号中の少なくとも一つの第一スキャン信号を生成し、前記マルチプレックスドライバモードにおいては、前記スキャン信号中の複数の第二スキャン信号を生成することを特徴とする請求項１に記載の液晶ドライバ。
【請求項３】
前記少なくとも一つの第一スキャン信号は二つの電圧レベル間で切り換わり、且つ、前記複数の第二スキャン信号のそれぞれが、少なくとも三つの電圧レベルの間で切り換わることを特徴とする請求項２に記載の液晶ドライバ。
【請求項４】
更に、
複数のディスプレイ信号を生成し、且つ、前記複数のディスプレイ信号のそれぞれが、少なくとも二つのレベルを有するセグメントドライバを有し、
前記セグメントドライバは、前記制御信号を受信し、且つ、前記制御信号に基づいて、前記スタティック駆動モード、あるいは、前記マルチプレックスドライバモードによって、前記複数のディスプレイ信号の一つを生成することを特徴とする請求項１から３までのいずれか１項に記載の液晶ドライバ。
【請求項５】
前記セグメントドライバは、前記制御信号に基づいて、前記スタティック駆動モードにおいては、前記複数のディスプレイ信号中の複数の第一ディスプレイ信号を生成し、前記マルチプレックスドライバモードにおいては、前記複数のディスプレイ信号中の複数の第二ディスプレイ信号を生成することを特徴とする請求項４に記載の液晶ドライバ。
【請求項６】
更に、
インターフェース回路と、
前記インターフェース回路により、イメージデータを受信し、且つ、前記イメージデータにデコーディングを実行して、ディスプレイデータを生成するデータデコーダと、を有し、
前記セグメントドライバは、前記ディスプレイデータを受信し、且つ、少なくとも三つの異なるレベルの電圧を受信して、前記複数のディスプレイ信号を生成することを特徴とする請求項４または５に記載の液晶ドライバ。
【請求項７】
前記データデコーダは、前記イメージデータに基づいて、モード切り換え情報を生成し、且つ、前記制御回路は、前記モード切り換え情報を受信することにより、前記制御信号を生成することを特徴とする請求項６に記載の液晶ドライバ。
【請求項８】
前記セグメントドライバは、複数の駆動回路を有し、前記複数の駆動回路のそれぞれは、信号出力端上で、対応する前記ディスプレイ信号を生成し、且つ、
駆動クロック信号、ディスプレイデータ、および、前記制御信号を受信し、且つ、前記駆動クロック信号、前記ディスプレイデータ、および、前記制御信号に基づいて、少なくとも、第一切り換え信号、第二切り換え信号、第三切り換え信号、および、第四切り換え信号を生成するロジック回路と、
第一駆動電圧を受信する入力端、前記信号出力端に接続される出力端、および、前記第一切り換え信号を受信する制御端を有する第一スイッチと、
第二駆動電圧を受信する入力端、前記信号出力端に接続される出力端、および、前記第二切り換え信号を受信する制御端を有する第二スイッチと、
第三駆動電圧を受信する入力端、前記信号出力端に接続される出力端、および、前記第三切り換え信号を受信する制御端を有する第三スイッチ、および、
接地電圧を受信する入力端、前記信号出力端に接続される出力端、および、前記第四切り換え信号を受信する制御端第四スイッチ、
を有することを特徴とする請求項４から７までのいずれか１項に記載の液晶ドライバ。
【請求項９】
更に、
電圧端、および、接地端から、それぞれ、高供給電圧、および、低供給電圧を受信し、且つ、前記高供給電圧、および、前記低供給電圧に基づいて、前記第一駆動電圧、前記第二駆動電圧および前記第三駆動電圧を含む少なくとも三つの駆動電圧を、前記コモンドライバに生成して、前記スキャン信号の生成に用いる電圧生成器、を有し、
前記少なくとも三つの駆動電圧中の少なくとも二つのレベルは互いに異なることを特徴とする請求項８に記載の液晶ドライバ。
【請求項１０】
前記電圧生成器は、
前記電圧端に接続されて、前記高供給電圧を受信し、且つ、前記高供給電圧を調整して、前記第一駆動電圧を生成する第一調整回路と、
前記電圧端に接続されて、前記高供給電圧を受信し、且つ、前記高供給電圧を調整して、前記第二駆動電圧を生成する第二調整回路と、および、
前記第二調整回路と前記接地端の間に設置され、且つ、前記第二駆動電圧、および、前記低供給電圧に基づいて、分圧操作を実行して、少なくとも一つの前記第三駆動電圧を生成する分圧回路と、
を有することを特徴とする請求項９に記載の液晶ドライバ。
【請求項１１】
前記コモンドライバは、複数の駆動回路を有し、前記複数の駆動回路のそれぞれは、信号出力端上で、対応する前記スキャン信号を生成し、且つ、
駆動クロック信号、および、前記制御信号を受信し、且つ、前記駆動クロック信号、および、前記制御信号に基づいて、少なくとも、第一切り換え信号、第二切り換え信号、第三切り換え信号、および、第四切り換え信号を生成するロジック回路と、
第一駆動電圧を受信する入力端、前記信号出力端に接続される出力端、および、前記第一切り換え信号を受信する制御端を有する第一スイッチ、
第二駆動電圧を受信する入力端、前記信号出力端に接続される出力端、および、前記第二切り換え信号を受信する制御端を有する第二スイッチ、
第三駆動電圧を受信する入力端、前記信号出力端に接続される出力端、および、前記第三切り換え信号を受信する制御端を有する第三スイッチ、および、
接地電圧を受信する入力端、前記信号出力端に接続される出力端、および、前記第四切り換え信号を受信する制御端を有する第四スイッチ、
を有することを特徴とする請求項１から７までのいずれか１項に記載の液晶ドライバ。
【請求項１２】
前記コモンドライバが、前記スタティック駆動モードによって、前記スキャン信号中の一つを生成する時、対応する前記第一スイッチと前記第四スイッチが交錯して導通し、生成された前記スキャン信号のレベルを、前記第一駆動電圧のレベルと前記接地電圧のレベルの間で切り換え、
前記コモンドライバが、前記マルチプレックスドライバモードによって、前記複数のディスプレイ信号中の一つを生成する時、対応する前記第二スイッチ、前記第三スイッチ、および、前記第四スイッチが交錯して導通し、生成された前記スキャン信号のレベルを、前記第二駆動電圧のレベル、前記第三駆動電圧のレベル、および、前記接地電圧のレベルの間で切り換えることを特徴とする請求項１１に記載の液晶ドライバ。
【考案の詳細な説明】
【技術分野】
【０００１】
本考案は、液晶ドライバに関するものであって、特に、混合式スタティック駆動モード（static drive mode）とマルチプレックスドライバモード（multiplex drive mode）の液晶ドライバに関するものである。
【背景技術】
【０００２】
セグメント型液晶ディスプレイは、複数のディスプレイセグメントを有する。各ディスプレイセグメントは、上電極と下電極を有し、且つ、上電極と下電極の間は、液晶コーティングを有する。ディスプレイセグメントにとって、液晶ドライバは、それぞれ、上電極と下電極とに電圧を加えて、ディスプレイセグメントを駆動する。液晶分子は、上電極と下電極の間の電圧差に基づいて転向し、ディスプレイセグメントの透光性を変化させ、これにより、表示する。一般に、パネル上の複数のディスプレイセグメントは、スタティック駆動モード（static drive mode）、あるいは、マルチプレックスドライバモード（multiplex drive mode）により駆動する。現有の技術において、液晶ドライバが、選択的に、スタティック駆動モード、あるいは、マルチプレックスドライバモードによって、ディスプレイセグメントを駆動するとき、スタティック駆動モードに用いるチップ、および、マルチプレックスドライバに用いるチップを設置して、液晶ドライバのサイズを増大する必要がある。このほか、スタティック駆動モードに用いるチップに必要な高駆動電圧は微調整ができず、外部電圧により回路を生成して、電圧の微調整をする必要がある。
【考案の概要】
【考案が解決しようとする課題】
【０００３】
よって、本考案は、液晶ドライバを提供し、単一チップによって、スタティック駆動モード、および、マルチプレックスドライバモードによるディスプレイセグメントの駆動を実現する。
【課題を解決するための手段】
【０００４】
本考案の一実施形態は、コモンドライバ、および、制御回路を有する液晶ドライバを提供する。コモンドライバは、複数のスキャン信号を生成し、且つ、各スキャン信号は、少なくとも二つのレベルを有する。制御回路は制御信号を生成する。コモンドライバは、制御信号を受信し、且つ、制御信号に基づいて、スタティック駆動モード、あるいは、マルチプレックスドライバモードにより、複数のスキャン信号の一つを生成する。
【０００５】
別の実施形態において、液晶ドライバは、さらに、セグメントドライバを有する。セグメントドライバは、複数のディスプレイ信号を生成し、且つ、各ディスプレイ信号は、少なくとも二つのレベルを有する。セグメントドライバは、制御信号を受信し、且つ、制御信号に基づいて、スタティック駆動モード、あるいは、マルチプレックスドライバモードにより複数のディスプレイ信号の一つを生成する。
【０００６】
一実施形態において、液晶ドライバは、更に、電圧生成器を有する。電圧生成器は、電圧端、および、接地端により、それぞれ、高供給電圧、および、低供給電圧を受信し、且つ、高供給電圧、および、低供給電圧に基づいて、少なくとも三つの駆動電圧をコモンドライバに生成して、複数のスキャン信号の生成に用いる。
【考案の効果】
【０００７】
本考案の液晶ドライバにより、単一チップによって、スタティック駆動モード、および、マルチプレックスドライバモードによるディスプレイセグメントの駆動を実現する。
【図面の簡単な説明】
【０００８】
【図１】本考案の一実施形態による液晶ディスプレイを示す図である。
【図２】本考案の一実施形態によるディスプレイセグメントを示す図である。
【図３】本考案の一実施形態による液晶ドライバを示す図である。
【図４】本考案の一実施形態によるディスプレイアレイを示す図である。
【図５】本考案の一実施形態によるスタティック駆動モード下のスキャン信号とディスプレイ信号のレベルの変化を示す図である。
【図６】本考案の一実施形態によるマルチプレックスドライバモード下のスキャン信号とディスプレイ信号のレベルの変化を示す図である。
【図７】本考案の一実施形態による電圧生成器を示す図である。
【図８】本考案の一実施形態によるコモンドライバの駆動ユニットを示す図である。
【図９】本考案の一実施形態によるセグメントドライバの駆動ユニットを示す図である。
【考案を実施するための形態】
【０００９】
本考案の目的、特徴、および、長所をさらに分かりやすくするため、以下で好ましい実施形態と図面により、詳細に説明する。
【００１０】
図１は、本考案の一実施形態による液晶ディスプレイを示す図である。図１を参照すると、液晶ディスプレイ１は、液晶ドライバ１０、および、ディスプレイアレイ１１を有する。この実施形態において、ディスプレイパネル１１は、複数のディスプレイセグメント１１０を有し、複数の列と複数の行に設置して、アレイを形成する。図２に示されるように、各ディスプレイセグメント１１０は、上電極２０、および、下電極２１を有し、且つ、上電極２０と下電極２１の間の空間２２に、液晶分子を充填する。上電極２０は、セグメント導線ＬＳＥＧを接続し、且つ、下電極２１は、コモン導線ＬＣＯＭを接続する。液晶ドライバ１０は、それぞれ、上電極２０と下電極２１に対し、電圧を加えることにより、ディスプレイセグメント１１０を駆動し、液晶分子を、上電極２０と下電極２１の間の電圧差によって転向させて、ディスプレイセグメント１１０の透光性を変化させる。
【００１１】
図３は、本考案の一実施形態による液晶ドライバ１０を示す図である。図３を参照すると、液晶ドライバ１０は、少なくとも、電圧生成器３０、コモンドライバ３１、セグメントドライバ３２、制御回路３３、クロック生成器３４、インターフェース回路(Ｉ／Ｆ)３５、データデコーダ３６、および、レジスタ３７を有する。この実施形態において、液晶ドライバ１０は、単一チップ３によって実現し、つまり、液晶ドライバ１０内の電圧生成器３０、コモンドライバ３１、セグメントドライバ３２、制御回路３３、クロック生成器３４、インターフェース回路(Ｉ／Ｆ)３５、データデコーダ３６、および、ストレージ回路３７が同じ基板に集められ、且つ、液晶ドライバ１０が、パッケージ後、チップ３を形成する。本考案の実施形態による液晶ドライバ１０は、混合式スタティック駆動モード（static drive mode）とマルチプレックスドライバモード（multiplex drive mode）の液晶ドライバであり、選択的に、スタティック駆動モード、あるいは、マルチプレックスドライバモードにより、一部、あるいは、全部のディスプレイセグメントを駆動する。
【００１２】
電圧生成器３０は、チップ３の出力／入力端Ｔ１０とＴ１１を接続して、それぞれ、出力／入力端Ｔ１０とＴ１１により、高供給電圧ＶＤＤと低供給電圧ＶＳＳを受信する。この実施形態において、低供給電圧ＶＳＳは、チップ３の接地電圧、たとえば、０Ｖである。電圧生成器３０は、高供給電圧ＶＤＤと低供給電圧ＶＳＳに基づいて、少なくとも三つの複数の駆動電圧を生成し、この少なくとも三つの駆動電圧中の少なくとも二つのレベルは互いに異なる。この実施形態において、電圧生成器３０により、四つの駆動電圧VLCDSとVLCD0〜VLCD2を生成することを例として説明しており、且つ、この四つの駆動電圧中の少なくとも三つのレベルは互いに異なる。たとえば、駆動電圧VLCD0〜VLCD2のレベルは互いに異なり、駆動電圧VLCD0のレベルは、駆動電圧VLCD1のレベルより高く、駆動電圧VLCD1のレベルは、駆動電圧VLCD2より高く、且つ、駆動電圧VLCD2のレベルは、低供給電圧ＶＳＳのレベルより高い。このほか、駆動電圧VLCDSのレベルは、駆動電圧VLCD0のレベル以下であってよい。たとえば、駆動電圧VLCD0のレベルは、高供給電圧ＶＤＤのレベル（VLCD0=VDD）以下であり、駆動電圧VLCD1のレベルは、駆動電圧VLCD0のレベルの三分の二に等しく（VLCD1=2VLCD0/3）、駆動電圧VLCD2のレベルは、駆動電圧VLCD0のレベルの三分の一に等しい（VLCD1=VLCD0/3）。高供給電圧ＶＤＤ、および、低供給電圧ＶＳＳも、液晶ドライバ１０中のその他の回路、あるいは、コモンドライバ３１、セグメントドライバ３２、制御回路３３、クロック生成器３４、インターフェース回路(Ｉ／Ｆ)３５、データデコーダ３６、および、レジスタ３７を含む素子に提供される。
【００１３】
クロック生成器３４は、チップ３の出力／入力端Ｔ１４により、クロック信号ＣＬＫを受信し、且つ、クロック信号ＣＬＫに基づいて、駆動クロック信号Ｓ３４とＳ３４Ｂを生成する。クロック生成器３４は、駆動クロック信号Ｓ３４とＳ３４Ｂを、それぞれ、コモンドライバ３１、および、セグメントドライバ３２に提供する。インターフェース回路３５は、チップ３の出力／入力端Ｔ１２とＴ１３を接続する。データデコーダ３６は、インターフェース回路３５により、それぞれ、出力／入力端Ｔ１２とＴ１３からの直列イメージデータＳＤＡ、および、直列クロック信号ＳＣＬを受信する。データデコーダ３６は、直列クロック信号ＳＣＬに基づいて、イメージデータＳＤＡをデコーディングして、ディスプレイデータＤ３６Ａ、および、モード切り換え情報Ｄ３６Ｂを生成する。この実施形態において、モード切り換え情報Ｄ３６Ｂは、いつ、スタティック駆動モードを採用するのかを指示する、および、いつ、マルチプレックスドライバモードを採用するのかを指示する等の情報を有する。データデコーダ３６は、生成されたディスプレイデータＤ３６Ａを、ストレージ回路３７中に送信し、一時保存して、セグメントドライバ３２に読み取らせる。制御回路３３は、モード切り換え情報Ｄ３６Ｂを受信し、且つ、モード切り換え情報Ｄ３６Ｂに基づいて、制御信号Ｓ３３を、コモンドライバ３１、および、セグメントドライバ３２に生成して、それらの駆動モードを制御する。
【００１４】
コモンドライバ３１は、駆動電圧VLCDSとVLCD0〜VLCD2を受信し、低供給電圧ＶＳＳも受信する。コモンドライバ３１は、さらに、駆動クロック信号Ｓ３４Ａと制御信号Ｓ３３を受信して、スキャン信号ＣＯＭ０〜ＣＯＭｍを生成する。コモンドライバ３１は、駆動クロック信号Ｓ３４Ａと制御信号Ｓ３３に基づいて、スキャン信号ＣＯＭ０〜ＣＯＭｍの電圧レベルの高低、および、レベル切り換えのタイミングを決定する。制御信号Ｓ３３が、スタティック駆動モードを指示するとき、コモンドライバ３１は、少なくとも一つのスキャン信号を生成し、且つ、スキャン信号のレベルは、駆動電圧VLCDSのレベルと低供給電圧ＶＳＳのレベルの間で切り換わる。制御信号Ｓ３３が、マルチプレックスドライバモードを指示するとき、コモンドライバ３１は、少なくとも三つのスキャン信号を生成し、且つ、これらのスキャン信号のレベルは、駆動電圧VLCD0〜VLCD2のレベルと低供給電圧ＶＳＳのレベルの間で切り換わる。スキャン信号ＣＯＭ０〜ＣＯＭｍは、チップ３の出力／入力端ＴＣＯＭ０〜ＴＣＯＭｍにより、ディスプレイアレイ１１中のディスプレイセグメント１１０の下電極２１に送信される。
【００１５】
セグメントドライバ３２は、駆動電圧VLCDSとVLCD0〜VLCD2を受信し、低供給電圧ＶＳＳも受信する。セグメントドライバ３２は、さらに、駆動クロック信号Ｓ３４Ｂ、ディスプレイデータＤ３６Ａ、および、制御信号Ｓ３３を受信して、ディスプレイ信号ＳＥＧ０〜ＳＥＧｎを生成する。セグメントドライバ３２は、駆動クロック信号Ｓ３４Ｂ、ディスプレイデータＤ３６Ａ、および、制御信号Ｓ３３に基づいて、ディスプレイ信号ＳＥＧ０〜ＳＥＧｎの電圧レベルの高低、および、レベル切り換えのタイミングを決定する。制御信号Ｓ３３が、スタティック駆動モードを指示するとき、セグメントドライバ３２は、複数のディスプレイ信号を生成し、且つ、複数のディスプレイ信号のレベルが、駆動電圧VLCDSのレベルと低供給電圧ＶＳＳのレベルの間で切り換わる。制御信号Ｓ３３がマルチプレックスドライバモードを指示するとき、セグメントドライバ３２は、複数のディスプレイ信号を生成し、且つ、複数のディスプレイ信号のレベルは、電圧VLCD0〜VLCD2とＶＳＳ中の少なくとも二つのレベル間で切り換わる。ディスプレイ信号ＳＥＧ０〜ＳＥＧｎは、チップ３の出力／入力端ＴＳＥＧ０〜ＴＳＥＧｎ、および、各自のコモン導線により、ディスプレイアレイ１１中のディスプレイセグメント１１０の上電極２０に送信される。
【００１６】
図４は、本考案の一実施形態によるディスプレイアレイ１１を示す図である。この実施形態において、ディスプレイアレイ１１は、１６個のディスプレイセグメントを有する（１１０(４０)〜１１０(４３)）。図５は、本考案の一実施形態によるスタティック駆動モード下のスキャン信号とディスプレイ信号のレベルの変化を示す図である。本考案の一実施形態中、ディスプレイセグメント１１０中の少なくとも二つのディスプレイセグメントの下電極２１は、同じコモン導線と接続されて、同じスキャン信号を受信し、且つ、同じコモン導線を接続するディスプレイセグメントの上電極２０は、それぞれ、異なるセグメント導線を接続する。図４と図５を参照すると、ディスプレイセグメント１１０(４０)と１１０(４１)の下電極４１がみな、コモン導線ＬＣＯＭ０と接続して、スキャン信号ＣＯＭ０を受信し、且つ、これらは、それぞれ、セグメント導線ＬＳＥＧ０とＬＳＥＧ１と接続して、ディスプレイ信号ＳＥＧ０とＳＥＧ１を受信すると仮定する。スタティック駆動モード下で、フレーム期間Tfr50において、コモンドライバ３１により生成されるスキャン信号ＣＯＭ０は、駆動電圧VLCDSのレベルと低供給電圧ＶＳＳのレベルの間で切り換わって、コモン導線ＬＣＯＭ０を駆動する。このフレーム期間Tfr50中、セグメントドライバ３２により生成されるディスプレイ信号ＳＥＧ０とＳＥＧ１のレベルは、表示したいイメージを表示するディスプレイデータＤ３６Ａに基づいて決定する。図５を参照すると、この実施形態において、ディスプレイ信号ＳＥＧ０のレベルは、駆動電圧VLCDSのレベルと低供給電圧ＶＳＳのレベルの間で切り換わり、且つ、ディスプレイ信号ＳＥＧ０とスキャン信号ＣＯＭ０は互いに相反し、このとき、ディスプレイセグメント１１０(４０)の上電極２０と下電極２１の間の電圧差Ｓ１１０(４０)は、ディスプレイ信号ＳＥＧ０とスキャン信号ＣＯＭ０の電圧差（ＳＥＧ０-ＣＯＭ０）に等しく、即ち、正極性と負極性の駆動電圧VLCDSのレベルの間で切り換わる。このほか、図５に示されるように、ディスプレイ信号ＳＥＧ１のレベルは、駆動電圧VLCDSのレベルと低供給電圧ＶＳＳのレベルの間で切り換わり、且つ、ディスプレイ信号ＳＥＧ０とスキャン信号ＣＯＭ０は同相であり、このとき、ディスプレイセグメント１１０(４１)の上電極２０と下電極２１の間の電圧差Ｓ１１０(４１)は、ディスプレイ信号ＳＥＧ１とスキャン信号ＣＯＭ０の電圧差（ＳＥＧ１-ＣＯＭ０）に等しく、即ち、０Ｖのレベルで維持する。これにより、電圧差Ｓ１１０(４０)とＳ１１０(４１)に基づいて、ディスプレイセグメント１１０(４０)と１１０(４１)とはそれぞれ、オン（ＯＮ）とオフ（ＯＦＦ）となる。
【００１７】
図６は、本考案の一実施形態によるマルチプレックスドライバモード下のスキャン信号とディスプレイ信号のレベルの変化を示す図である。本考案の一実施形態中、ディスプレイセグメント１１０中の少なくとも二つのディスプレイセグメントの下電極２１は、第一コモン導線を接続して、同一のスキャン信号を受信し、ディスプレイセグメント１１０中の別の少なくとも二つのディスプレイセグメントの下電極２１は、第二コモン導線を接続して、同一のスキャン信号を受信し、第一コモン導線を接続するディスプレイセグメントの上電極２０と第二コモン導線を接続するディスプレイセグメントの上電極２０は、一つのセグメント導線を接続し、且つ、第一コモン導線を接続するもう一つのディスプレイセグメントの上電極２０と第二コモン導線を接続するもう一つのディスプレイセグメントの上電極２０は、別のセグメント導線を接続する。図４と図６を参照すると、ディスプレイセグメント１１０(４０)と１１０(４１)の下電極４１がどちらも、コモン導線ＬＣＯＭ０を接続して、スキャン信号ＣＯＭ０を受信し、ディスプレイセグメント１１０(４２)と１１０(４３)の下電極４１がどちらも、コモン導線ＬＣＯＭ１を接続して、スキャン信号ＣＯＭ１を受信し、ディスプレイセグメント１１０(４０)と１１０(４２)がどちらも、セグメント導線ＬＳＥＧ０を接続して、ディスプレイ信号ＳＥＧ０を受信し、且つ、ディスプレイセグメント１１０(４１)と１１０(４３)が、どちらも、セグメント導線ＬＳＥＧ１を接続して、ディスプレイ信号ＳＥＧ１を受信すると仮定する。マルチプレックスドライバモード下で、フレーム期間Tfr60において、コモンドライバ３１により生成されるスキャン信号ＣＯＭ０とＣＯＭ１は、みな、電圧ＶＳＳ、VLCD0〜VLCD2のレベルの間で切り換わり、マルチプレックス方式で、コモン導線ＬＣＯＭ０とＬＣＯＭ１を駆動する。このフレーム期間Tfr60中、セグメントドライバ３２により生成されるディスプレイ信号ＳＥＧ０とＳＥＧ１のレベルは、表示したいイメージを表示するディスプレイデータＤ３６Ａに基づいて決定される。図６を参照すると、上述のように、各ディスプレイセグメントにとって、オン（ＯＮ）／オフ（ＯＦＦ）は、対応するディスプレイ信号とスキャン信号の間の電圧差に基づいて決定される。図６は、ディスプレイセグメント１１０(４０)の電圧差Ｓ１１０(４０)（ＳＥＧ０-ＣＯＭ０）、および、ディスプレイセグメント１１０(４２)の電圧差Ｓ１１０(４２)（ＳＥＧ２-ＣＯＭ０）についてのみ示されている。この実施形態において、フレーム期間Tfr60のスキャン信号ＣＯＭ０とＣＯＭ１、および、ディスプレイ信号ＳＥＧ０とＳＥＧ１に基づいて、ディスプレイセグメント１１０(４０)、１１０(４１)、および１１０(４３)はオン（ＯＮ）であり、ディスプレイセグメント１１０(４２)はオフ（ＯＦＦ）である。
【００１８】
図４〜図６の実施形態において、ディスプレイセグメントとセグメント導線、コモン導線の接続は、単なる例である。その他の実施形態において、たとえば、ディスプレイセグメントとセグメント導線、コモン導線の間は、異なる接続関係があってよい。このほか、上述の実施形態中、一つのスキャン信号（たとえば、スキャン信号ＣＯＭ０）は、異なるフレーム期間で、それぞれ、スタティック駆動モード、および、マルチプレックスドライバモードで生成される。その他の実施形態において、スタティック駆動モードで生成されるスキャン信号とマルチプレックスドライブモードで生成されるスキャン信号は重複しない。上述に基づき、駆動モード切り換えに関する指示制御信号Ｓ３３のため、コモンドライバ３１、および、セグメントドライバ３２は、制御信号Ｓ３３に基づいて、選択的に、スタティックモード、あるいは、アクティブモードによって、各スキャン信号と各ディスプレイ信号を生成する。
【００１９】
図７は、本考案の一実施形態による電圧生成器３０を示す図である。図７を参照すると、電圧生成器３０は、コントラスト調整回路７０と７１、演算増幅器７２〜７５、および、抵抗器７６〜７８を有する。コントラスト調整回路７０は、電圧端Ｎ７０により、出力／入力端Ｔ１０を接続して、高供給電圧ＶＤＤを受信し、且つ、駆動電圧VLCD0を生成する。コントラスト調整回路７０は、コントラスト制御信号Ｓ７０に基づいて、駆動電圧VLCD0のレベルが、高供給電圧ＶＤＤのレベル以下であるか否か決定する。この実施形態において、コントラスト制御信号Ｓ７０は、データデコーダ３６により、直列クロック信号ＳＣＬに基づいて生成される。演算増幅器７２の正入力端は、コントラスト調整回路７０を接続し、且つ、その負入力端と出力端が連接して、ユニティゲイン増幅器を形成する。コントラスト調整回路７０により生成される駆動電圧VLCD0は、このゲイン増幅器により、コモンドライバ３１とセグメントドライバ３２に出力される。抵抗器７６〜７８は、コントラスト調整回路７０と接地端Ｎ７１の間に接続されて、分圧回路７９を形成する。接地端Ｎ７１は、出力／入力端Ｔ１１を接続して、低供給電圧ＶＳＳを受信する。抵抗器７６〜７８の分圧操作により、それぞれ、ノードＮ７２とＮ７３で、駆動電圧VLCD1とVLCD2を生成する。演算増幅器７３の正入力端はノードＮ７２を接続し、且つ、その負入力端と出力端が連接して、ユニティゲイン増幅器を形成する。演算増幅器７４の正入力端はノードＮ７３を接続し、且つ、その負入力端と出力端が連接して、もう一つのユニティゲイン増幅器を形成する。駆動電圧VLCD1とVLCD2は、この二つのゲイン増幅器により、コモンドライバ３１とセグメントドライバ３２に出力される。この実施形態において、抵抗器７６〜７８は、同一の抵抗値を有する。低供給電圧（接地電圧）ＶＳＳが０Ｖに等しい状況下で、駆動電圧VLCD1のレベルは、駆動電圧VLCD0のレベルの三分の二に等しく（VLCD1=2VLCD0/3）、駆動電圧VLCD2のレベルは、駆動電圧VLCD0のレベルの三分の一に等しい（VLCD1=VLCD0/3）。
【００２０】
コントラスト調整回路７１は、電圧端Ｎ７０により、出力／入力端Ｔ１０を接続して、高供給電圧ＶＤＤを受信し、且つ、駆動電圧VLCDSを生成する。コントラスト調整回路７１は、コントラスト制御信号Ｓ７０に基づいて、駆動電圧VLCD0のレベルが、駆動電圧VLCD0のレベル以下であるか否か決定する。演算増幅器７５の正入力端は、コントラスト調整回路７１を接続し、且つ、その負入力端と出力端が連接して、ユニティゲイン増幅器を形成する。コントラスト調整回路７１により生成される駆動電圧VLCDSは、このゲイン増幅器により、コモンドライバ３１とセグメントドライバ３２に出力される。
【００２１】
図８は、本考案の一実施形態によるコモンドライバ３１の駆動ユニットを示す図である。本考案の実施形態によると、コモンドライバ３１は、複数の駆動ユニット８を有する。各ユニットは、対応するスキャン信号ＣＯＭ０〜ＣＯＭｍを生成し、且つ、図８に示される構造を有する。図８を参照すると、駆動ユニット８は、ロジック回路８０、および、スイッチ８１〜８５を有する。この実施形態において、スイッチ８１〜８３は、Ｐ型トランジスタで構成し、スイッチ８４と８５は、Ｎ型トランジスタで構成する。ロジック回路８０は、駆動クロック信号Ｓ３４Ａ、および、制御信号Ｓ３３を受信する。いくつかの実施形態において、ロジック回路８０はさらに、コモン信号とディスプレイ信号の極性切り換えを指示する極性制御信号ＰＯＬを受信する。ロジック回路８０は、駆動クロック信号Ｓ３４Ａ、制御信号Ｓ３３、および、極性制御信号ＰＯＬに基づいて、切り換え信号ＩＰ８０〜ＩＰ８２、ＩＮ８１、および、ＩＮ８２を生成する。スイッチ８１の入力端（即ち、Ｐ型トランジスタのソース）は、駆動電圧VLCD0を受信し、その出力端（即ち、Ｐ型トランジスタのドレイン）は、駆動ユニット８の信号出力端Ｎ８０に接続し、且つ、その制御端（即ち、Ｐ型トランジスタのゲート）は、切り換え信号ＩＰ８０を受信する。スイッチ８２の入力端（即ち、Ｐ型トランジスタのソース）は、駆動電圧VLCD1を受信し、その出力端（即ち、Ｐ型トランジスタのドレイン）は、信号出力端Ｎ８０に接続し、且つ、その制御端（即ち、Ｐ型トランジスタのゲート）は、切り換え信号ＩＰ８１を受信する。スイッチ８３の入力端（即ち、Ｐ型トランジスタのソース）は、駆動電圧VLCDSを受信し、その出力端（即ち、Ｐ型トランジスタのドレイン）は、信号出力端Ｎ８０に接続し、且つ、その制御端（即ち、Ｐ型トランジスタのゲート）は、切り換え信号ＩＰ８２を受信する。スイッチ８４の入力端（即ち、Ｎ型トランジスタのドレイン）は、信号出力端Ｎ８０に接続し、その出力端（即ち、Ｎ型トランジスタのソース）は、駆動電圧VLCD2を受信し、且つ、その制御端（即ち、Ｎ型トランジスタのゲート）は、切り換え信号ＩＮ８１を受信する。スイッチ８５の入力端（即ち、Ｎ型トランジスタのドレイン）は信号出力端Ｎ８０に接続し、その出力端（即ち、Ｎ型トランジスタのソース）は低供給電圧ＶＳＳを受信し、且つ、その制御端（即ち、Ｎ型トランジスタのゲート）は切り換え信号ＩＮ８２を受信する。対応するスキャン信号ＣＯＭｘ（1≦x≦m）は、信号出力端Ｎ８０で生成される。Ｐ８０〜ＩＰ８２、ＩＮ８１、および、ＩＮ８２の制御に基づいて、スイッチ８１〜８５は、選択的に導通して、スキャン信号ＣＯＭｘのレベルを切り換える。これにより、コモンドライバ３１は、選択的に、スタティック駆動モード、あるいは、マルチプレックスドライバモードによって、一部、あるいは、全部のスキャン信号を生成する。
【００２２】
図９は、本考案の一実施形態によるセグメントドライバ３２の駆動ユニットを示す図である。本考案の実施形態によると、セグメントドライバ３２は、複数の駆動ユニット９を有する。各ユニットは、対応するディスプレイ信号ＳＥＧ０〜ＳＥＧｎを生成し、且つ、図９に示される構造を有する。図９を参照すると、駆動ユニット９は、ロジック回路９０、および、スイッチ９１〜９５を有する。この実施形態において、スイッチ９１〜９３は、Ｐ型トランジスタで実施し、スイッチ９４と９５は、Ｎ型トランジスタで実施する。ロジック回路９０は、駆動クロック信号Ｓ３４Ａ、制御信号Ｓ３３、および、ディスプレイデータＳ３６Ａを受信する。いくつかの実施形態において、ロジック回路９０は、さらに、極性制御信号ＰＯＬを受信する。ロジック回路９０は、駆動クロック信号Ｓ３４Ａ、制御信号Ｓ３３、ディスプレイデータＳ３６Ａ、および、極性制御信号ＰＯＬに基づいて、切り換え信号ＩＰ９０〜ＩＰ９２、ＩＮ９１、および、ＩＮ９２を生成する。スイッチ９１の入力端（即ち、Ｐ型トランジスタのソース）は、駆動電圧VLCD0を受信し、その出力端（即ち、Ｐ型トランジスタのドレイン）は、駆動ユニット９の信号出力端Ｎ９０に接続し、且つ、その制御端（即ち、Ｐ型トランジスタのゲート）は、切り換え信号ＩＰ９０を受信する。スイッチ９２の入力端（即ち、Ｐ型トランジスタのソース）は、駆動電圧VLCD1を受信し、その出力端（即ち、Ｐ型トランジスタのドレイン）は、信号出力端Ｎ９０に接続し、且つ、その制御端（即ち、Ｐ型トランジスタのゲート）は、切り換え信号ＩＰ９１を受信する。スイッチ９３の入力端（即ち、Ｐ型トランジスタのソース）は、駆動電圧VLCDSを受信し、その出力端（即ち、Ｐ型トランジスタのドレイン）は、信号出力端Ｎ９０に接続し、且つ、その制御端（即ち、Ｐ型トランジスタのゲート）は、切り換え信号ＩＰ９２を受信する。スイッチ９４の入力端（即ち、Ｎ型トランジスタのドレイン）は、信号出力端Ｎ９０に接続し、その出力端（即ち、Ｎ型トランジスタのソース）は、駆動電圧VLCD2を受信し、且つ、その制御端（即ち、Ｎ型トランジスタのゲート）は、切り換え信号ＩＮ９１を受信する。スイッチ９５の入力端（即ち、Ｎ型トランジスタのドレイン）は、信号出力端Ｎ９０に接続し、その出力端（即ち、Ｎ型トランジスタのソース）は、低供給電圧ＶＳＳを受信し、且つ、その制御端（即ち、Ｎ型トランジスタのゲート）は、切り換え信号ＩＮ９２を受信する。対応するディスプレイ信号ＳＥＧy（1≦y≦n）は、信号出力端Ｎ９０で生成される。Ｐ９０〜ＩＰ９２、ＩＮ９１、および、ＩＮ９２の制御に基づいて、スイッチ９１〜９５は、選択的に導通して、ディスプレイ信号ＳＥＧyのレベルを切り換える。これにより、セグメントドライバ３２は、選択的に、スタティック駆動モード、あるいは、マルチプレックスドライバモードで、一部、あるいは、全部のディスプレイ信号を生成する。
【００２３】
本考案の実施形態によると、本案は、単一チップで、スタティック駆動モード、および、マルチプレックスドライバモードによって、スキャン信号、および、ディスプレイ信号を生成する。このほか、ドライバチップ内に、コントラスト調整回路７１を設置し、スタティック駆動モードに用いる高駆動電圧VLCDSに、微調整を行う。
【００２４】
本考案では好ましい実施例を前述の通り開示したが、これらは決して本考案に限定するものではなく、当該技術を熟知する者なら誰でも、本考案の思想を脱しない範囲内で各種の変形を加えることができる。
【符号の説明】
【００２５】
１…液晶ディスプレイ
３…チップ
８、９…駆動ユニット
１０…液晶ドライバ
１１…ディスプレイアレイ
２０…上電極
２１…下電極
２２…空間
３０…電圧生成器
３１…コモンドライバ
３２…セグメントドライバ
３３…制御回路
３４…クロック生成器
３５…インターフェース回路（Ｉ／Ｆ）
３６…データデコーダ
３７…レジスタ
７０、７１…コントラスト調整回路
７２〜７５…演算増幅器
７６〜７８…抵抗器
８０、９０…ロジック回路
８１〜８５…スイッチ
９１〜９５…スイッチ
１１０、１１０(４０)〜１１０(４３)…ディスプレイセグメント
ＣＬＫ…クロック信号
ＣＯＭ０〜ＣＯＭｍ、ＣＯＭｘ…スキャン信号
Ｄ３６Ａ…ディスプレイデータ
Ｄ３６Ｂ…モード切り換え情報
ＩＮ８１、ＩＮ８２、ＩＰ８０〜ＩＰ８２…切り換え信号
ＩＮ９１、ＩＮ９２、ＩＰ９０〜ＩＰ９２…切り換え信号
ＬＣＯＭ、ＬＣＯＭ０、ＬＣＯＭ１…コモン導線
ＬＳＥＧ、ＬＳＥＧ０、ＬＳＥＧ１…セグメント導線
Ｎ７０…電圧端
Ｎ７１…接地端
Ｎ７２、Ｎ７３…ノード
Ｎ８０、Ｎ９０…信号出力端
ＰＯＬ…極性制御信号
Ｓ３３…制御信号
Ｓ３４Ａ、Ｓ３４Ｂ…駆動クロック信号
Ｓ１１０(４０)、Ｓ１１０(４１)…電圧差
ＳＣＬ…直列クロック信号
ＳＤＡ…直列イメージデータ
ＳＥＧ０〜ＳＥＧn、ＳＥＧy…ディスプレイ信号
Ｔ１０〜Ｔ１４、ＴＣＯＭ０〜ＴＣＯＭｍ、ＴＳＥＧ０〜ＴＳＥＧｎ…出力／入力端
Tfr50、Tfr60…フレーム期間
VLCDS、VLCD0〜VLCD2…駆動電圧
ＶＤＤ…高供給電圧
ＶＳＳ…低供給電圧
【図１】
0003228180.tif 000003
【図２】
0003228180.tif 000004
【図３】
0003228180.tif 000005
【図４】
0003228180.tif 000006
【図５】
0003228180.tif 000007
【図６】
0003228180.tif 000008
【図７】
0003228180.tif 000009
【図８】
0003228180.tif 000010
【図９】
0003228180.tif 000011
【手続補正書】
【提出日】令和2年7月15日(2020.7.15)
【手続補正１】
【補正対象書類名】実用新案登録請求の範囲
【補正対象項目名】全文
【補正方法】変更
【補正の内容】
【実用新案登録請求の範囲】
【請求項１】
液晶ドライバであって、
複数のスキャン信号を生成し、且つ、前記複数のスキャン信号のそれぞれが、少なくとも二つのレベルを有するコモンドライバと、および、
制御信号を生成する制御回路と、を有し、
前記コモンドライバは、前記制御信号を受信し、且つ、前記制御信号に基づいて、スタティック駆動モード、あるいは、マルチプレックスドライバモードによって、前記スキャン信号の一つを生成することを特徴とする液晶ドライバ。
【請求項２】
前記コモンドライバは、前記制御信号に基づいて、前記スタティック駆動モードにおいては、前記複数のスキャン信号中の少なくとも一つの第一スキャン信号を生成し、前記マルチプレックスドライバモードにおいては、前記スキャン信号中の複数の第二スキャン信号を生成することを特徴とする請求項１に記載の液晶ドライバ。
【請求項３】
前記少なくとも一つの第一スキャン信号は二つの電圧レベル間で切り換わり、且つ、前記複数の第二スキャン信号のそれぞれが、少なくとも三つの電圧レベルの間で切り換わることを特徴とする請求項２に記載の液晶ドライバ。
【請求項４】
更に、
複数のディスプレイ信号を生成し、且つ、前記複数のディスプレイ信号のそれぞれが、少なくとも二つのレベルを有するセグメントドライバを有し、
前記セグメントドライバは、前記制御信号を受信し、且つ、前記制御信号に基づいて、前記スタティック駆動モード、あるいは、前記マルチプレックスドライバモードによって、前記複数のディスプレイ信号の一つを生成することを特徴とする請求項１から３までのいずれか１項に記載の液晶ドライバ。
【請求項５】
前記セグメントドライバは、前記制御信号に基づいて、前記スタティック駆動モードにおいては、前記複数のディスプレイ信号中の複数の第一ディスプレイ信号を生成し、前記マルチプレックスドライバモードにおいては、前記複数のディスプレイ信号中の複数の第二ディスプレイ信号を生成することを特徴とする請求項４に記載の液晶ドライバ。
【請求項６】
更に、
インターフェース回路と、
前記インターフェース回路により、イメージデータを受信し、且つ、前記イメージデータにデコーディングを実行して、ディスプレイデータを生成するデータデコーダと、を有し、
前記セグメントドライバは、前記ディスプレイデータを受信し、且つ、少なくとも三つの異なるレベルの電圧を受信して、前記複数のディスプレイ信号を生成することを特徴とする請求項４または５に記載の液晶ドライバ。
【請求項７】
前記データデコーダは、前記イメージデータに基づいて、モード切り換え情報を生成し、且つ、前記制御回路は、前記モード切り換え情報を受信することにより、前記制御信号を生成することを特徴とする請求項６に記載の液晶ドライバ。
【請求項８】
前記セグメントドライバは、複数の駆動回路を有し、前記複数の駆動回路のそれぞれは、信号出力端上で、対応する前記ディスプレイ信号を生成し、且つ、
駆動クロック信号、ディスプレイデータ、および、前記制御信号を受信し、且つ、前記駆動クロック信号、前記ディスプレイデータ、および、前記制御信号に基づいて、少なくとも、第一切り換え信号、第二切り換え信号、第三切り換え信号、および、第四切り換え信号を生成するロジック回路と、
第一駆動電圧を受信する入力端、前記信号出力端に接続される出力端、および、前記第一切り換え信号を受信する制御端を有する第一スイッチと、
第二駆動電圧を受信する入力端、前記信号出力端に接続される出力端、および、前記第二切り換え信号を受信する制御端を有する第二スイッチと、
第三駆動電圧を受信する入力端、前記信号出力端に接続される出力端、および、前記第三切り換え信号を受信する制御端を有する第三スイッチ、および、
接地電圧を受信する入力端、前記信号出力端に接続される出力端、および、前記第四切り換え信号を受信する制御端第四スイッチ、
を有することを特徴とする請求項４から７までのいずれか１項に記載の液晶ドライバ。
【請求項９】
更に、
電圧端、および、接地端から、それぞれ、高供給電圧、および、低供給電圧を受信し、且つ、前記高供給電圧、および、前記低供給電圧に基づいて、前記第一駆動電圧、前記第二駆動電圧および前記第三駆動電圧を含む少なくとも三つの駆動電圧を、前記コモンドライバに生成して、前記スキャン信号の生成に用いる電圧生成器、を有し、
前記少なくとも三つの駆動電圧中の少なくとも二つのレベルは互いに異なることを特徴とする請求項８に記載の液晶ドライバ。
【請求項１０】
前記電圧生成器は、
前記電圧端に接続されて、前記高供給電圧を受信し、且つ、前記高供給電圧を調整して、前記第一駆動電圧を生成する第一調整回路と、
前記電圧端に接続されて、前記高供給電圧を受信し、且つ、前記高供給電圧を調整して、前記第二駆動電圧を生成する第二調整回路と、および、
前記第二調整回路と前記接地端の間に設置され、且つ、前記第二駆動電圧、および、前記低供給電圧に基づいて、分圧操作を実行して、少なくとも一つの前記第三駆動電圧を生成する分圧回路と、
を有することを特徴とする請求項９に記載の液晶ドライバ。
【請求項１１】
前記コモンドライバは、複数の駆動回路を有し、前記複数の駆動回路のそれぞれは、信号出力端上で、対応する前記スキャン信号を生成し、且つ、
駆動クロック信号、および、前記制御信号を受信し、且つ、前記駆動クロック信号、および、前記制御信号に基づいて、少なくとも、第一切り換え信号、第二切り換え信号、第三切り換え信号、および、第四切り換え信号を生成するロジック回路と、
第一駆動電圧を受信する入力端、前記信号出力端に接続される出力端、および、前記第一切り換え信号を受信する制御端を有する第一スイッチ、
第二駆動電圧を受信する入力端、前記信号出力端に接続される出力端、および、前記第二切り換え信号を受信する制御端を有する第二スイッチ、
第三駆動電圧を受信する入力端、前記信号出力端に接続される出力端、および、前記第三切り換え信号を受信する制御端を有する第三スイッチ、および、
接地電圧を受信する入力端、前記信号出力端に接続される出力端、および、前記第四切り換え信号を受信する制御端を有する第四スイッチ、
を有することを特徴とする請求項１から７までのいずれか１項に記載の液晶ドライバ。
【請求項１２】
前記コモンドライバが、前記スタティック駆動モードによって、前記スキャン信号中の一つを生成する時、対応する前記第一スイッチと前記第四スイッチが交錯して導通し、生成された前記スキャン信号のレベルを、前記第一駆動電圧のレベルと前記接地電圧のレベルの間で切り換え、
前記コモンドライバが、前記マルチプレックスドライバモードによって、前記複数のスキャン信号中の一つを生成する時、対応する前記第二スイッチ、前記第三スイッチ、および、前記第四スイッチが交錯して導通し、生成された前記スキャン信号のレベルを、前記第二駆動電圧のレベル、前記第三駆動電圧のレベル、および、前記接地電圧のレベルの間で切り換えることを特徴とする請求項１１に記載の液晶ドライバ。